(57)【要約】【目的】  パーソナルコンピューターの簡素化。組み立てが簡単で、分解がしやすい、資源リサイクルに向いている、パーソナルコンピューター。薄型モニターの背面にパーソナルコンピューターを接着し取り付ける。【構成】  ジョィント（１６）で、コンピューター本体、ハードディスクドライブ（ＳＳＤ）、電源ユニット等を、薄型モニター背面（３）の任意の場所に接着剤で接着する。  薄型モニター（１）の前面、画面の下の部分の枠に、パワースイッチユニット（６）を接着剤で、接着する。【選択図】図１
2011008742.tif 000002
【特許請求の範囲】
【請求項１】
ジョィント（１６）で、コンピューター本体、ハードディスクドライブ（ＳＳＤ）、電源ユニット等を、薄型モニター背面（３）の任意の場所に接着剤で接着する。
薄型モニター（１）の前面、画面の下の部分の枠に、パワースイッチユニット（６）を接着剤で、接着する。
【請求項２】
ジョィント（１６）と中間ジョィント（２３）でマザーボードをネジ（２４）と（１７）で締め取り付け、中間ジョィント（２３）とマザーボードカバー取り付けネジ（５）で、マザーボードカバー（１４）をネジ（１８）と（２５）で締め取り付ける、以上の組み立てを、マザーボードの取り付け穴が在る分だけ設け、ジョィント（１６）と薄型モニター背面を接着剤で、接着する。
一対ネジ（２４）と（１７）また、一対ネジ（１８）と（２５）は、雄ネジと雌ネジが逆でも良い。
【請求項３】
ジョィント（１６）をハードディスクドライブ、アダプター（１１）にネジ（２２）で取り付け、ハードディスクドライブ取り付け穴（２０）（２１）でハードディスクドライブ、アダプター（１１）をハードディスクドライブ（４）に取り付ける。
以上のジョィント（１６）を、ハードディスクドライブ、アダプター（１１）の取り付け穴が在る分だけ設け、ジョィント（１６）と薄型モニター背面を接着剤で、接着する。
【請求項４】
マザーボードカバー（１４）に、マザーボードと、ほぼ同じ大きさ位、又は、少し小さい冷却ファン（２６）を設ける。
以上のように構成された、薄型モニター背面取り付けコンピューター。
【発明の詳細な説明】
【産業上の利用分野】
【０００１】  本発明は、パーソナルコンピューターに関する。
【背景技術】
【０００２】  従来のモニター一体型コンピューターは、モニターの内部にコンピューターの主要部品を組み込んでいた。また、モニターの背面に完成したコンピューターの箱を取り付けていた。
【発明が解決しようとする課題】
【０００３】  パーソナルコンピューターの簡素化、組み立て、分解を簡単にする。
【問題を解決するための手段】
【０００４】  ジョィント（１６）と中間ジョィント（２３）とマザーボードカバー取り付けネジ（５）で、マザーボード（１９）とマザーボードカバー（１４）をマザーボードの取り付け穴の数だけ挟み取り付け、パーソナルコンピューターとし、ジョィント（１６）と薄型モニター背面を接着剤で、接着する。
ハードディスクドライブや電源ユニットも、同様にジョィント（１６）と薄型モニター背面を接着剤で、接着する。
【作用】
【０００５】薄型モニター背面でコンピューターを接着する。
ジョィント（１６）と中間ジョィント（２３）とマザーボードカバー取り付けネジ（５）で、マザーボード（１９）とマザーボードカバー（１４）をマザーボードの取り付け穴の数だけ挟み取り付け、パーソナルコンピューターとし、ジョィント（１６）と薄型モニター背面を接着剤で、接着する。
【実施例】
【０００６】以下、本発明の実施例について説明する。
ジョィント（１６）と中間ジョィント（２３）でマザーボードをネジ（２４）と（１７）で締め取り付け、中間ジョィント（２３）とマザーボードカバー取り付けネジ（５）で、マザーボードカバー（１４）をネジ（１８）と（２５）で締め取り付ける、以上の組み立てを、マザーボードの取り付け穴が在る分だけ設け、ジョィント（１６）の接着面を薄型モニター背面の任意の場所に接着剤で、コンピューターを接着する。
一対ネジ（２４）と（１７）また、一対ネジ（１８）と（２５）は、雄ネジと雌ネジが逆でも良い。
ジョィント（１６）とネジ（２２）で、ハードディスクドライブ、アダプター（１１）締め付け、ハードディスクドライブ（４）をハードディスクドライブ取り付け穴（２０）（２１）でハードディスクドライブ、アダプター（１１）に取り付ける。
以上の組み立てを、ハードディスクドライブ、アダプター（１１）の取り付け穴が在る分だけ設け、ジョィント（１６）の接着面を薄型モニター背面の任意の場所に接着剤で、ハードディスクドライブを接着する。
マザーボードカバー（１４）に、マザーボードと、ほぼ同じ大きさ位、又は、少し小さい冷却ファン（２６）を設ける。
ネジ（２２）とジョィント（１６）を電源ユニットに取り付けジョィント（１６）の接着面を薄型モニター背面の任意の場所に接着剤で、電源ユニットを接着する。
パワースイッチ（１０）とパワーＬＥＤ（９）を、パワースイッチユニット（６）とし、薄型モニター（３）の前面、画面の下の部分の枠に、パワースイッチユニット（６）を接着剤で、接着する。
【発明の効果】
本発明は、以上のような構成でこれを利用したパーソナルコンピューターは、分解、組み立てが簡単である。
本発明のパーソナルコンピューターは部品構成を単純化してある。
薄型モニターとコンピューターは、製品の陳腐化するサイクルが違うので、薄型モニターとコンピューターを分離して廃棄する、分解したとき、コンピューターは、ジョィントとマザーボードとカバーに分かれるので、資源リサイクルに向いているパーソナルコンピューター。
【図面の簡単な説明】
【図１】  本発明を組み立てた斜視図
【図２】  薄型モニターの正面図
【図３】  接着面があるジョィントの側面図
【図４】  接着面があるジョィントの接着面図
【図５】  マザーボードカバーに冷却ファンを取り付けた斜視図
【図６】  本発明のマザーボード用の組み立て部分断面図
【図７】  本発明のハードディスクドライブ用の組み立て部分断面図
【符号の説明】（１）  薄型モニター
（２）  ハードディスクドライブ取り付けネジＡ
（３）  薄型モニター背面
（４）  ハードディスクドライブ
（５）  マザーボードカバー取り付けネジＥ
（６）  パワースイッチユニット
（７）  パワースイッチ、パワーＬＥＤのコード
（８）  マザーボードカバー取り付けネジＨ
（９）  パワーＬＥＤ
（１０）パワースイッチ
（１１）ハードディスクドライブ、アダプター
（１２）マザーボードカバー取り付けネジＧ
（１３）マザーボードカバー取り付けネジＦ
（１４）マザーボードカバー
（１５）ハードディスクドライブ取り付けネジＢ
（１６）接着面があるジョィント
（１７）雌ネジ
（１８）雌ネジ
（１９）マザーボード
（２０）ハードディスクドライブ取り付け穴Ａ
（２１）ハードディスクドライブ取り付け穴Ｂ
（２２）ハードディスクドライブ、アダプター取り付けネジ
（２３）中間ジョィント
（２４）雄ネジ
（２５）雄ネジ
（２６）冷却ファン
【図１】
2011008742.tif 000003
【図２】
2011008742.tif 000004
【図３】
2011008742.tif 000005
【図４】
2011008742.tif 000006
【図５】
2011008742.tif 000007
【図６】
2011008742.tif 000008
【図７】
2011008742.tif 000009